(57)【要約】【課題】ハウジングの強度を確保しながら、コネクタ自体の薄型化に対応すること。【解決手段】スライダ６には、係合ピン９と係合してスライダ６を所定位置にロックするカム溝８が形成されている。カム溝８は、係合ピン９が初期に位置する初期位置と、スライダ６を所定位置にロックするロック位置とを有する。初期位置は、ロック位置よりもカード挿入方向側に配置されると共に、カム溝８の内底面における高さがロック位置よりも高い位置に形成されている。ハウジング２の底面におけるスライダ６と対向する位置の一部には開口部２０５が形成されている。カードの装着開始時には、スライダ６における係合ピン９の初期位置に対応するハウジング２との対向面が開口部２０５に対向配置される一方、装着完了時には、スライダ６における係合ピン９の初期位置に対応するハウジング２との対向面がハウジング２の底面に対向配置される。【選択図】図２
2010040327.tif 000002
【特許請求の範囲】
【請求項１】
カードを装着可能なハウジングと、前記カードと共に移動するスライダ及び当該スライダを所定の位置にロックするロック機構を有し、前記ハウジングに装着された前記カードを排出可能な排出機構と、前記カードの接触部と接触可能なコンタクト端子とを備えたカード用コネクタであって、
前記ロック機構は、前記スライダに設けられたカム溝と、当該カム溝と係合する係合部材とからなり、
前記カム溝は、前記係合部材が初期に位置する初期位置と、前記スライダを所定の位置にロックするロック位置とを有し、
前記初期位置は、前記ロック位置よりもカード挿入方向側に配置されると共に、前記カム溝の内底面における高さが前記ロック位置よりも高い位置に形成され、
前記ハウジングの底面における前記スライダと対向する位置の一部には開口部が形成され、
前記カードの装着開始時には、前記係合部材は前記初期位置に配置されると共に、前記スライダにおける前記初期位置に対応する前記ハウジングとの対向面が前記開口部に対向配置され、
前記カードの挿入に伴う前記スライダのカード挿入方向への移動に応じて、前記係合部材は前記初期位置から前記ロック位置に案内され、
前記カードの装着完了時には、前記係合部材は前記ロック位置に配置されると共に、前記スライダにおける前記初期位置に対応する前記ハウジングとの対向面が前記ハウジングの底面に対向配置されることを特徴とするカード用コネクタ。
【請求項２】
前記初期位置の高さを有する前記カム溝の内底面が当該カム溝の往路と復路に跨って連続して形成されていることを特徴とする請求項１記載のカード用コネクタ。
【請求項３】
前記初期位置から前記ロック位置までの経路において、前記カム溝の復路との連結点が形成されると共に、前記連結点よりも前記ロック位置近傍の位置まで前記カード挿入方向に沿って直線状に前記カム溝の往路が形成されていることを特徴する請求項１又は請求項２記載のカード用コネクタ。
【発明の詳細な説明】
【技術分野】
【０００１】
本発明は、カード用コネクタに関し、特に、携帯電話機等の電子機器においてチップカードやＩＣメモリカード等のカードを基板に電気的に接続するためのカード用コネクタに関する。
【背景技術】
【０００２】
昨今、チップカードやＩＣメモリカード等のカードを基板に電気的に接続するためのカード用コネクタが組み込まれる携帯電話機等の電子機器は、小型化される傾向にあり、これに伴って小型で薄型のカード用コネクタが要望されている。このような要望に対応するため、プッシュイン・プッシュアウト機構を構成するカム要素のカム溝底面における位置高低差をステップ状の一段にしたもの（例えば、特許文献１参照）や、ハウジングの底面に開口部を形成し、スライダに設けられたカム溝の最深部を含む領域に対応する下方突出部を収容するもの（例えば、特許文献２参照）が提案されている。このように改良された形状を有するカム溝と、底面に開口部を形成したハウジングとを組み合わせることにより、より薄型化されたカード用コネクタを実現することが期待できる。
【特許文献１】特開２００８−９１２９８号公報
【特許文献２】特開２００６−１７９４６２号公報
【発明の開示】
【発明が解決しようとする課題】
【０００３】
しかしながら、上述したように組み合わせたカード用コネクタにおいては、ハウジングの底面に、スライダに設けられた下方突出部の移動領域の全体に開口部を形成する必要があることから、ハウジング自体の強度が不足するという問題がある。
【０００４】
本発明はかかる問題点に鑑みて為されたものであり、ハウジングの強度を確保しながら、コネクタ自体の薄型化に対応することができるカード用コネクタを提供することを目的とする。
【課題を解決するための手段】
【０００５】
本発明のカード用コネクタは、カードを装着可能なハウジングと、前記カードと共に移動するスライダ及び当該スライダを所定の位置にロックするロック機構を有し、前記ハウジングに装着された前記カードを排出可能な排出機構と、前記カードの接触部と接触可能なコンタクト端子とを備えたカード用コネクタであって、前記ロック機構は、前記スライダに設けられたカム溝と、当該カム溝と係合する係合部材とからなり、前記カム溝は、前記係合部材が初期に位置する初期位置と、前記スライダを所定の位置にロックするロック位置とを有し、前記初期位置は、前記ロック位置よりもカード挿入方向側に配置されると共に、前記カム溝の内底面における高さが前記ロック位置よりも高い位置に形成され、前記ハウジングの底面における前記スライダと対向する位置の一部には開口部が形成され、前記カードの装着開始時には、前記係合部材は前記初期位置に配置されると共に、前記スライダにおける前記初期位置に対応する前記ハウジングとの対向面が前記開口部に対向配置され、前記カードの挿入に伴う前記スライダのカード挿入方向への移動に応じて、前記係合部材は前記初期位置から前記ロック位置に案内され、前記カードの装着完了時には、前記係合部材は前記ロック位置に配置されると共に、前記スライダにおける前記初期位置に対応する前記ハウジングとの対向面が前記ハウジングの底面に対向配置されることを特徴とする。
【０００６】
上記カード用コネクタによれば、スライダに設けられたカム溝の内底面における初期位置の高さをロック位置よりも高い位置に形成したことから、例えば、カム溝の初期位置とロック位置とを同一の高さに形成する場合に比べて、スライダにおける厚さ方向の寸法が大きくなる部分を減少させることができる。一方、スライダにおけるカム溝の初期位置に対応するハウジングとの対向面を、カードの装着開始時にはハウジングの開口部に対向配置させると共に、カードの装着完了時にはハウジングの底面と対向配置させたことから、ハウジングに開口部を形成してスライダの一部を収容する場合においても、ハウジングに形成される開口部の面積を小さくすることができるので、ハウジングの強度を確保しながら、コネクタ自体の薄型化に対応することが可能となる。
【０００７】
上記カード用コネクタにおいては、前記初期位置の高さを有する前記カム溝の内底面が当該カム溝の往路と復路に跨って連続して形成されていることが好ましい。この場合には、カム溝の内底面において高さの高い部分を増加させることができるので、スライダにおける厚さ方向の寸法が大きくなる部分を更に減少させることが可能となる。
【０００８】
また、上記カード用コネクタにおいては、前記初期位置から前記ロック位置までの経路において、前記カム溝の復路との連結点が形成されると共に、前記連結点よりも前記ロック位置近傍の位置まで前記カード挿入方向に沿って直線状に前記カム溝の往路が形成されていることが好ましい。この場合には、連結点からロック位置近傍の位置までカード挿入方向に沿って直線状にカム溝の往路が形成されていることから、係合部材が連結点から誤ってカム溝の復路に入り込むことを簡単な構成で効果的に防止することが可能となる。
【発明の効果】
【０００９】
本発明によれば、スライダに設けられたカム溝の内底面における初期位置の高さをロック位置よりも高い位置に形成したことから、例えば、カム溝の初期位置とロック位置とを同一の高さに形成する場合に比べて、スライダにおける厚さ方向の寸法が大きくなる部分を減少させることができる。一方、スライダにおけるカム溝の初期位置に対応するハウジングとの対向面を、カードの装着開始時にはハウジングの開口部に対向配置させると共に、カードの装着完了時にはハウジングの底面と対向配置させたことから、ハウジングに開口部を形成してスライダの一部を収容する場合においても、ハウジングに形成される開口部の面積を小さくすることができるので、ハウジングの強度を確保しながら、コネクタ自体の薄型化に対応することが可能となる。
【発明を実施するための最良の形態】
【００１０】
以下、本発明の一実施の形態について添付図面を参照して詳細に説明する。
図１は、本発明の一実施の形態に係るカード用コネクタ（以下、単に「コネクタ」という）１の外観を示す斜視図である。図２及び図３は、本実施の形態に係るコネクタ１の分解斜視図及び上面図である。なお、図３においては、説明の便宜上、コネクタ１が有するカバー部材３を省略している。以下においては、適宜、コネクタ１における図１〜図３に示す紙面上方側を「コネクタ１の後方側」又は単に「後方側」と呼び、同図に示す紙面下方側を「コネクタ１の前方側」又は単に「前方側」と呼ぶものとする。
【００１１】
図１に示すように、本実施の形態に係るコネクタ１は、合成樹脂材料などの絶縁材料を成形して形成されるハウジング２と、金属薄板材料に打ち抜き加工及び折り曲げ加工などを施して形成されるカバー部材３とを備えている。ハウジング２は、概して平板形状を有しており、カバー部材３は、ハウジング２の上方側に取り付けられた状態でハウジング２との間に一定の空間を形成する形状を有している。このカバー部材３がハウジング２に取り付けられることで、コネクタ１の前方側にカード挿入口が形成されると共に、ハウジング２内にカード４が装着可能な空間（カード装着空間）が形成される。
【００１２】
ハウジング２は、図２及び図３に示すように、コネクタ１の底面部を構成するベース部２０１と、コネクタ１の右方側の側端部において、このベース部２０１から上方側に垂直に立設された側壁部２０２とを有している。ベース部２０１には、コネクタ１の前後に２つの開口部２０３ａ、ｂが形成されている。これらの開口部２０３ａ、ｂに対応する位置に、コネクタ１に装着されたカード４の接触部に接触する複数のコンタクト端子２０４がコネクタ１の左右方向に並設されている。コンタクト端子２０４は、その両端部を除く所定部位をベース部２０１にインサート成形等により埋設されている。コンタクト端子２０４の前方側端部２０４ａは、開口部２０３ａから露出すると共に、僅かに下方側に折り曲げられ、不図示の基板の導体に半田接続可能に構成されている。一方、コンタクト端子２０４の後方側端部２０４ｂは、開口部２０３ｂから露出すると共に上方側に持ち上げられ、その端部近傍がカード４の接触部に弾性的に接触するように構成されている。
【００１３】
また、ベース部２０１における右方側の位置であって、後述するカード排出機構５が配置される部分は、板厚が薄くされた薄厚部分２０１ａが形成されている。この薄厚部分２０１ａの所定位置には、後述するスライド部材６の下方突出部６３が配置される矩形状の開口部２０５が穿設されている。また、ベース部２０１には、側壁部２０２の後端部に連続する後壁部２０６が設けられている。後壁部２０６の内壁には、後述する付勢ばね７の一端を係止する係止片２０７がコネクタ１の前方側に延出するように形成されている。また、後壁部２０６の上面には、後述する係合ピン９の後端部を回動可能に保持する保持孔２０８が形成されている。
【００１４】
ベース部２０１に形成された薄厚部分２０１ａの上方には、カード装着空間の所定位置に装着されたカード４を排出する排出機構５が配設されている。排出機構５は、カード４の挿入及び排出動作に伴ってスライド移動するスライダ６と、このスライダ６をカード４の排出方向（コネクタ１の前方側）に付勢する付勢ばね７と、付勢ばね７の付勢力に抗してスライダ６を所定のロック位置にロックするロック機構とから構成される。そして、このロック機構は、スライダ６の上面に形成されたカム溝８と、このカム溝８と係合する係合部材としての係合ピン９とから構成される。
【００１５】
スライダ６は、一端が係止片２０７に係止された付勢ばね７の他端を係止した状態でベース部２０１の薄厚部分２０１ａに配設される。このスライダ６の上面に形成されたカム溝８には、一端が保持孔２０８に保持された係合ピン９の他端が係合する。排出機構５においては、付勢ばね７の付勢力によりカード４の排出方向に付勢されるスライダ６の移動を係合ピン９で規制するものとなっている。なお、カバー部材３における係合ピン９に対応する位置には、図１及び図２に示すように、押圧片３１が形成されている。この押圧片３１は、カバー部材３がハウジング２に取り付けられた状態において係合ピン９をスライダ６側に押圧し、係合ピン９が適切にカム溝８に係合するように構成されている。
【００１６】
本実施の形態に係るコネクタ１においては、ハウジング２のベース部２０１の上方に配設配置されるスライダ６の一部を、ベース部２０１に形成した開口部２０５に収容することでコネクタ１の薄型化に寄与している。ここで、本実施の形態に係るコネクタ１が有するハウジング２のベース部２０１に形成される開口部２０５、並びに、この開口部２０５に一部が収容されるスライダ６の構成について説明する。図４は、本実施の形態に係るコネクタ１が有するハウジング２の上面図である。図５（ａ）〜（ｃ）は、本実施の形態に係るコネクタ１が有するスライダ６の上面図、側面図及び下面図である。図６は、本実施の形態に係るコネクタ１が有するスライダ６に形成されるカム溝８の展開図である。
【００１７】
図４に示すように、開口部２０５は、開口部２０３ａ、ｂの右方側であって、開口部２０３ａの後方側端部近傍から、開口部２０３ｂの後方側端部よりも僅かに前方側の位置まで形成されている。この開口部２０５の前方側部分及び後方側部分には、ベース部２０１の薄厚部分２０１ａが配置されている。この場合において、開口部２０５の前方側部分及び後方側部分に配置されるベース部２０１の薄厚部分２０１ａは、略同一の長さを有している。すなわち、開口部２０５は、ベース部２０１の前後方向における略中央位置に形成されている。このようにベース部２０１における略中央位置に開口部２０５を形成し、その前方側及び後方側部分に一定以上の長さのベース部２０１の薄厚部分２０１ａを残存させることにより、ハウジング２の強度を確保している。
【００１８】
スライダ６は、合成樹脂材料などの絶縁材料を成形して形成されるものであり、図５（ａ）に示す左方側側面にハウジング２のカード装着空間に挿入されたカード４を受ける受け部６１が設けられると共に、同図に示す右方側の側面に付勢ばね７の前方側端部を係止する係止片６２が設けられている。上述したカム溝８は、スライダ６における後方側部分の上面に形成されている。スライダ６の下面には、カム溝８における前方側部分に対応する位置に下方突出部６３が設けられている。この下方突出部６３は、カム溝８の形成に伴って薄厚化するスライダ６を補強するための部分である。
【００１９】
ここで、カム溝８の構成について説明する。図５（ａ）に示すように、カム溝８の中央領域には、概してハート形状を有するハート型カム８１が設けられている。カム溝８は、ハート型カム８１の周囲でループ状に形成されるものであり、ハート型カム８１の左方側に配置される第１ガイド溝８２、右方側に配置される第２ガイド溝８３、並びに、第１及び第２ガイド溝８２、８３の前方側端部に連結され、前記カードがロックされる時に係合ピン９の前端部が位置する停止部を有する凹み溝８４で構成されている。この場合において、第１ガイド溝８２は、カム溝８の往路の一部を構成する一方、第２ガイド溝８３は、カム溝８の復路の一部を構成する。また、カム溝８においては、後述する係合ピン９の初期位置からロック位置までの経路においてカム溝８の復路との連結点が形成され、第２ガイド溝８３の後方側端部が第１ガイド溝８２に連結されている。また、カム溝８の往路は、上記連結点よりもロック位置近傍の位置までカード４の挿入方向に沿って直線状に形成されている。
【００２０】
これらの第１ガイド溝８２、第２ガイド溝８３及び凹み溝８４の内底面は、平面部と斜面部とで構成されている。図６に示すように、第１ガイド溝８２におけるＡ、凹み溝８４におけるＢ、Ｄ、Ｅ及びＧ、第２ガイド溝８３におけるＨは平面部を構成する。一方、凹み溝８４におけるＣ及びＦ、第２ガイド溝８３におけるＩは斜面部を構成する。特に、カム溝８の内底面を構成する平面部は、高い部分（Ａ、Ｄ及びＧ）と低い部分（Ｂ、Ｅ及びＨ）とで構成され、斜面部（Ｃ、Ｆ及びＩ）は、全て低い部分から高い部分へ案内するための傾斜面で構成されている。なお、平面部間における高い部分から低い部分に連結される位置（例えば、ＡとＢとの位置）には段差が設けられている。
【００２１】
このようなカム溝８に係合する係合ピン９の前端部は、カード４の挿入動作に伴って初期位置（図５（ａ）に示す網掛け部分）から第１ガイド溝８２に沿って案内され、凹み溝８４の停止部（Ｅの位置）に配置された状態でロック状態とされる（すなわち、凹み溝８４の停止部における停止位置がロック位置とされる）。また、ロック状態からのカード４の排出動作に伴って凹み溝８４の停止部から出て、第２ガイド溝８３に沿って案内される。すなわち、係合ピン９の一端は、図５（ａ）及び図６に示すＡ〜Ｉの順にカム溝８上を案内され、再びＡに復帰することとなる。なお、カム溝８内における係合ピン９の逆方向への移動は、上述した平面部間に設けられた段差により規制されている。
【００２２】
特に、カム溝８においては、係合ピン９の初期位置を含む第１ガイド溝８２の部分（すなわち、Ａの部分）が、カム溝８の内底面における高い部分に設けられている。また、この第１ガイド溝８２に連結される第２ガイド溝８３の部分は、係合ピン９の初期位置と同様に、カム溝８における高い部分に設けられている。一方、カム溝８の内底面における低い部分は、凹み溝８４の近傍、すなわち、カム溝８の前方側部分に集中して設けられている。
【００２３】
スライダ６においては、このようなカム溝８の内底面における低い部分（すなわち、Ｂ、Ｅ及びＨ）に対応する位置に限定して下方突出部６３を設け、当該部分の補強を図っている。この場合、下方突出部６３は、図５（ｂ）、（ｃ）に示すように、スライダ６の中央部近傍のみに設けられている。すなわち、カム溝８における係合ピン９の初期位置に対応する下面には、下方突出部６３は設けられておらず、平面形状部分とされている。なお、下方突出部６３における前方側の中央部分には、凹部６３ａが形成されている。
【００２４】
ここで、本実施の形態に係るコネクタ１が有するハウジング２のベース部２０１に形成される開口部２０５の形状、並びに、スライダ６の形状と比較するために従来のコネクタが有するハウジング２のベース部２０１に形成される開口部２０５、並びに、この開口部２０５に一部が収容されるスライダ６の構成について説明する。図７は、従来のコネクタが有するハウジング２の上面図である。図８（ａ）〜（ｃ）は、従来のコネクタが有するスライダ６の上面図、側面図及び下面図である。図９は、従来のコネクタが有するスライダ６に形成されるカム溝８の展開図である。なお、図７〜図９においては、説明の便宜上、本実施の形態に係るコネクタ１（図４〜図６）と同一の符号を用いるものとする。
【００２５】
図７に示すように、従来のハウジング２のベース部２０１における開口部２０５は、開口部２０３ａ、ｂの右方側であって、開口部２０３ａの後方側端部近傍から、後壁部２０６の近傍の位置まで形成されている。なお、この開口部２０５においては、図７に示す左方側部分が右方側部分よりも後方側に延出した延出部２０５ａを有している。延出部２０５ａは、後述する従来のスライダ６の下方突出部６３の形状に対応するために設けられている。このように、従来のハウジング２においては、ベース部２０１の右方側部分において、中央部分よりも前方側の位置から後方側の略全面に開口部２０５が形成されている。図４に示す本実施の形態に係るハウジング２と比較すると、ベース部２０１が残存する領域が狭くその強度が不足することとなる。
【００２６】
また、従来のスライダ６においても、図８（ａ）に示すように、カム溝８の中央領域にはハート型カム８１が設けられると共に、その周囲にループ状に第１ガイド溝８２、第２ガイド溝８３及び凹み溝８４が配置されている。これらの第１ガイド溝８２、第２ガイド溝８３及び凹み溝８４の内底面は、本実施の形態におけるカム溝８と同様に、平面部（高い部分及び低い部分）と、斜面部（低い部分から高い部分へ案内する傾斜面）とで構成されるものの、その平面部及び斜面部の配置において相違する。
【００２７】
すなわち、従来のカム溝８においては、図９に示すように、第１ガイド溝８２におけるＡ及びＡ´´、凹み溝８４におけるＢ、Ｄ、Ｅ及びＧ、第２ガイド溝８３におけるＨ及びＩ´は平面部を構成する。一方、第１ガイド溝８２におけるＡ´、凹み溝８４におけるＣ及びＦ、第２ガイド溝８３におけるＩは斜面部を構成する。なお、第１ガイド溝８２におけるＡ´´と凹み溝８４におけるＢとの間、凹み溝８４におけるＤとＥとの間、凹み溝８４におけるＧと第２ガイド溝８３におけるＨとの間、並びに、第２ガイド溝８３におけるＩ´と第１ガイド溝８２におけるＡとの間には段差が設けられている。
【００２８】
そして、従来のスライダ６においても、カム溝８の内底面における低い部分（すなわち、Ａ、Ｂ、Ｅ及びＨ）に対応する位置にして下方突出部６３を設け、当該部分の補強を図っている。この場合、カム溝８における低い部分は、図９に示すように、カム溝８の全体に配置されていることから、下方突出部６３は、図８（ｂ）、（ｃ）に示すように、スライダ６の中央部近傍から後方側の略全面に設けられている。図８（ｃ）に示すように、カム溝８における係合ピン９の初期位置に対応する下面にも下方突出部６３が設けられていることから、下方突出部６３においては、図８（ｃ）に示す右方側部分が左方側部分よりも後方側に延出した延出部６３ｂを有している。カード４の挿入動作に伴うスライダ６のスライド移動に応じて、この延出部６３ｂは、ハウジング２の開口部２０５の延出部２０５ａに収容されることとなる。
【００２９】
次に、本実施の形態に係るコネクタ１に対するカード４の挿抜動作について説明する。図１０及び図１１は、それぞれ本実施の形態に係るコネクタ１に対してカード４を挿入する過程の上面図及び下面図である。図１２及び図１３は、それぞれ本実施の形態に係るコネクタ１において、カード４がロックされた状態の上面図及び下面図である。図１４及び図１５は、それぞれ本実施の形態に係るコネクタ１において、ロック状態とされたカード４を更に押し込んだ状態の上面図及び下面図である。なお、図１０〜図１５においては、説明の便宜上、コネクタ１が有するカバー部材３を省略している。
【００３０】
ハウジング２のカード装着空間にカード４を押し込むと、図１０に示すように、カード４の右方側側面がスライダ６の受け部６１に接触した状態とされる。この場合において、スライダ６は、付勢ばね７の付勢力によりカード４の排出方向に付勢された状態となっており、係合ピン９は、カム溝８の第１ガイド溝８２における初期位置に配置されている。このように係合ピン９の前端部がカム溝８の第１ガイド溝８２の初期位置で係合している場合において、スライダ６の下方突出部６３は、図１１に示すように、開口部２０５の前方側端部に配置された状態となっている。また、カム溝８の第１ガイド溝８２における係合ピン９の初期位置に対応するハウジング２との対向面は、開口部２０５に対向配置されている。
【００３１】
図１０及び図１１に示す状態からカード４を押し込むと、付勢ばね７の付勢力に抗してスライダ６が後方側に移動する。この場合、係合ピン９の前端部は、カム溝８の第１ガイド溝８２内を案内される。そして、最後方側まで押し込まれた後、カード４を押していた手を離すと、付勢ばね７の付勢力によりスライダ６が前方側に押し戻される。この場合、係合ピン９の前端部は、カム溝８の第１ガイド溝８２から凹み溝８４に案内され、図１２に示すように、その停止部に停止された状態（ロック状態）とされる。このように係合ピン９の前端部がカム溝８の凹み溝８４の停止部に停止されている場合において、スライダ６の下方突出部６３は、図１３に示すように、開口部２０５の前方側端部よりも僅かに後方側の位置に配置された状態となっている。また、カム溝８の第１ガイド溝８２における係合ピン９の初期位置に対応するハウジング２との対向面は、開口部２０５よりも後方側の位置に対向配置されている。なお、このとき、コンタクト端子２０４ｂの先端部近傍は、カード４の接触部４１に弾接した状態とされる。
【００３２】
ロック状態とされたカード４をハウジング２のカード装着空間から抜き取る際には、図１２及び図１３に示す状態からカード４を更に後方側に押し込む。１２及び図１３に示す状態からカード４を押し込むと、カード４の移動に伴ってスライダ６が後方側に移動する。この場合、係合ピン９の前端部は、カム溝８の凹み溝８４を案内される。そして、最後方側まで押し込まれると、図１４に示すように、凹み溝８４から第２ガイド溝８３に案内され、第２ガイド溝８３の前方側端部に配置された状態とされる。このように係合ピン９の前端部がカム溝８の第２ガイド溝８３の前方側端部の位置に配置されている場合において、スライダ６の下方突出部６３は、図１５に示すように、開口部２０５の後方側端部に配置された状態となっている。この状態から、カード４を押していた手を離すと、付勢ばね７の付勢力によりスライダ６が図１２に示す位置まで前方側に押し戻される。図１２に示す状態からユーザは、カード４を抜き取ることができる。
【００３３】
以上説明したように、本実施の形態に係るコネクタ１においては、スライダ６に設けられたカム溝８の内底面における初期位置の高さをロック位置よりも高い位置に形成していることから、例えば、カム溝８の初期位置とロック位置とを同一の高さに形成する場合（図９参照）に比べて、スライダ６における厚さ方向の寸法が大きくなる部分を減少させることができる。一方、スライダ６におけるカム溝８の初期位置に対応するハウジング２との対向面を、カード４の装着開始時にはハウジング２の開口部に対向配置させると共に、カード４の装着完了時にはハウジング２の底面（ベース部２０１）と対向配置させていることから、ハウジング２に開口部２０５を形成してスライダ６の一部（下方突出部６３）を収容する場合においても、ハウジング２に形成される開口部２０５の面積を小さくすることができるので、ハウジング２の強度を確保しながら、コネクタ１自体の薄型化に対応することが可能となる。
【００３４】
特に、本実施の形態に係るコネクタ１が有するスライダ６においては、カム溝８の内底面における高さが高い部分を、カム溝８の往路（第１ガイド溝８２）と復路（第２ガイド溝８３）とに跨って連続して形成されていることから、カム溝８の内底面において高さの高い部分を増加させることができるので、スライダ６における厚さ方向の寸法が大きくなる部分を更に減少させることが可能となる。
【００３５】
また、本実施の形態に係るコネクタ１においては、カム溝８の初期位置からロック位置までの経路において、カム溝８の復路との連結点が形成されると共に、この連結点よりもロック位置近傍の位置までカード４の挿入方向に沿って直線状にカム溝８の往路（第１ガイド溝８２）を形成している。これにより、係合ピン９が連結点から誤ってカム溝８の復路（第２ガイド溝８３）に入り込むことを簡単な構成で効果的に防止することが可能となる。
【００３６】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３７】
例えば、上記実施の形態においては、スライダ６の後方側に係合ピン９が配置され、スライダ６に設けられたカム溝８における係合ピン９の初期位置がロック位置よりも後方側（カード挿入方向側）に形成される場合について説明しているが、スライダ６及び係合ピン９の構成については、これに限定されるものではなく適宜変更が可能である。例えば、スライダ６の前方側に係合ピン９が配置され、カム溝８における係合ピン９の初期位置がロック位置よりも前方側（カード排出方向側）に形成される構成にも適用することが可能である。この場合にも、上記実施の形態と同様の効果を得ることができる。
【図面の簡単な説明】
【００３８】
【図１】本発明の一実施の形態に係るコネクタの外観を示す斜視図である。
【図２】上記実施の形態に係るコネクタの分解斜視図である。
【図３】上記実施の形態に係るコネクタの上面図である。
【図４】上記実施の形態に係るコネクタが有するハウジングの上面図である。
【図５】上記実施の形態に係るコネクタが有するスライダの上面図（ａ）、側面図（ｂ）及び下面図（ｃ）である。
【図６】上記実施の形態に係るコネクタが有するスライダに形成されるカム溝の展開図である。
【図７】従来のコネクタが有するハウジングの上面図である。
【図８】従来のコネクタが有するスライダの上面図（ａ）、側面図（ｂ）及び下面図（ｃ）である。
【図９】従来のコネクタが有するスライダに形成されるカム溝の展開図である。
【図１０】上記実施の形態に係るコネクタに対してカードを挿入する過程の上面図である。
【図１１】上記実施の形態に係るコネクタに対してカードを挿入する過程の下面図である。
【図１２】上記実施の形態に係るコネクタにおいて、カードがロックされた状態の上面図である。
【図１３】上記実施の形態に係るコネクタにおいて、カードがロックされた状態の下面図である。
【図１４】上記実施の形態に係るコネクタにおいて、ロック状態とされたカードを更に押し込んだ状態の上面図である。
【図１５】上記実施の形態に係るコネクタにおいて、ロック状態とされたカードを更に押し込んだ状態の下面図である。
【符号の説明】
【００３９】
１  カード用コネクタ（コネクタ）
２  ハウジング
２０１  ベース部
２０１ａ  薄厚部分
２０２  側壁部
２０３ａ、ｂ  開口部
２０４ａ、ｂ  コンタクト端子
２０５  開口部
２０６  後壁部
２０７  係止片
２０８  保持孔
３  カバー部材
３１  押圧片
４  カード
５  排出機構
６  スライダ
６１  受け部
６２  係止片
６３  下方突出部
７  付勢ばね
８  カム溝
８１  ハート型カム
８２  第１ガイド溝
８３  第２ガイド溝
８４  凹み溝
９  係合ピン
【図１】
2010040327.tif 000003
【図２】
2010040327.tif 000004
【図３】
2010040327.tif 000005
【図４】
2010040327.tif 000006
【図５】
2010040327.tif 000007
【図６】
2010040327.tif 000008
【図７】
2010040327.tif 000009
【図８】
2010040327.tif 000010
【図９】
2010040327.tif 000011
【図１０】
2010040327.tif 000012
【図１１】
2010040327.tif 000013
【図１２】
2010040327.tif 000014
【図１３】
2010040327.tif 000015
【図１４】
2010040327.tif 000016
【図１５】
2010040327.tif 000017